(57)【要約】【課題】いわゆるカプセル式のカメラにおいて、その形態を生かして放熱性を向上させること。【解決手段】カメラ本体１０に対して閉位置と開位置との間をスライド可能な箱状のカバー体３１を有し、カバー体３１の位置に応じて撮影の可否または撮影条件が変更されるように構成されてなるカメラ１であって、カメラ本体１０に内蔵された部品の放熱を行うための放熱部材５３が、カメラ本体１０とカバー体３１との間に形成される空間ＫＮに対して放熱を行うように設けられる。【選択図】      図３
2005181630.tif 000002
【特許請求の範囲】
【請求項１】
カメラ本体に対して閉位置と開位置との間をスライド可能な箱状のカバー体を有し、前記カバー体の位置に応じて撮影の可否または撮影条件が変更されるように構成されてなるカメラであって、
前記カメラ本体に内蔵された部品の放熱を行うための放熱部材が、前記カメラ本体と前記カバー体との間に形成される空間に対して放熱を行うように設けられてなる、
ことを特徴とするカメラ。
【請求項２】
前記放熱部材は、前記カメラ本体における前記空間に面する側面に配置され、
前記部品から前記放熱部材までの間において熱伝導またはヒートパイプによって伝熱が行われる、
請求項１記載のカメラ。
【請求項３】
前記カバー体に、前記空間と外気との間で空気が流通するための穴が設けられてなる、
請求項１または２記載のカメラ。
【請求項４】
前記カバー体には電池収納部が設けられ、前記電池収納部に収納される電池の放熱を行うための放熱板が、前記空間に対して放熱を行うように設けられてなる、
請求項１ないし３のいずれかに記載のカメラ。
【請求項５】
前記カバー体が閉位置のときに静止画の撮影を許可するモードが設定され、前記カバー体が開位置のときに動画の撮影を許可するモードが設定される、                        請求項１ないし３のいずれかに記載のカメラ。
【発明の詳細な説明】
【技術分野】
【０００１】
本発明は、カメラ本体に対してスライド可能な箱状のカバー体を有した、いわゆるカプセル式のカメラに関する。
【背景技術】
【０００２】
従来より、カメラ本体に対して閉位置と開位置との間をスライド可能な箱状のカバー体を有し、カバー体の位置に応じて撮影の可否が変更されるように構成されたカメラが用いられている。このようなカメラは一般にカプセルカメラまたはカプセル式のカメラなどと呼称される。カプセル式のカメラでは、通常は保管または携帯のためにカバー体を閉じて撮影レンズを保護しておき、撮影時にカバー体を開くことによって撮影レンズが現れ、撮影が可能となるように構成される。
【０００３】
他方、デジタル式のカメラ（デジタルカメラまたは電子カメラ）では、撮像のためのＣＣＤ、画像表示のためのＬＣＤ、画像処理や制御のためのＣＰＵまたはＡＳＩＣ、その他多くの電子部品が用いられる。これら電子部品は電流によって発熱するため、その放熱のための構造が必要である。デジタルカメラでは高画質化が進んで画素数が増大し、かつ処理性能が飛躍的に向上したため、発熱量が増大する傾向にある。しかも、一層の小型軽量化が進み、カメラ本体の外装として金属板に代えてプラスチックが多用され、カメラ本体の内部で発生した熱を外装部分で放熱することが困難となっている。
【０００４】
そのため、カメラ本体におけるＬＣＤの裏面に対向する部分に放熱板を設けること（特許文献１）、ポップアップ式のストロボ（フラッシュ）の収納室の底部に放熱孔を設けること（特許文献２）など、種々の放熱構造が提案されている。
【０００５】
しかし、カメラでは、カメラ本来の性能の他に、携帯性、デザイン性、ファッション性など、多様な要素を取り入れる必要があり、放熱構造についてもこれら種々の要素に対して適合できる必要がある。そのためには、従来から提案されている放熱構造で十分ではなく、さらに改良されていく必要がある。
【特許文献１】特開２００１−１８９８８４
【特許文献２】特開２００２−２８７２２１
【発明の開示】
【発明が解決しようとする課題】
【０００６】
本発明は、いわゆるカプセル式のカメラにおいて、その形態を生かして放熱性を向上させることを課題とする。
【課題を解決するための手段】
【０００７】
本発明に係るカメラは、カメラ本体に対して閉位置と開位置との間をスライド可能な箱状のカバー体を有し、前記カバー体の位置に応じて撮影の可否または撮影条件が変更されるように構成されてなるカメラであって、前記カメラ本体に内蔵された部品の放熱を行うための放熱部材が、前記カメラ本体と前記カバー体との間に形成される空間に対して放熱を行うように設けられてなる。
【０００８】
好ましくは、前記放熱部材は、前記カメラ本体における前記空間に面する側面に配置され、前記部品から前記放熱部材までの間において熱伝導またはヒートパイプによって伝熱が行われる。
【０００９】
また、前記カバー体に、前記空間と外気との間で空気が流通するための穴が設けられる。また、前記カバー体には電池収納部が設けられ、前記電池収納部に収納される電池の放熱を行うための放熱板が、前記空間に対して放熱を行うように設けられる。さらには、前記カバー体が閉位置のときに静止画の撮影を許可するモードが設定され、前記カバー体が開位置のときに動画の撮影を許可するモードが設定される。
【発明の効果】
【００１０】
本発明によると、いわゆるカプセル式のカメラにおいて、その形態を生かして放熱性を向上させることができる。
【発明を実施するための最良の形態】
【００１１】
〔第１の実施形態〕
図１は本発明に係る第１の実施形態のデジタルカメラ１の外観を示す正面図、図２はデジタルカメラ１のカバー体が開状態のときの外観を示す正面図、図３はデジタルカメラ１の内部構造の一部を示す正面断面図、図４はデジタルカメラ１のカバー体が開状態のときの内部構造の一部を示す正面断面図、図５は放熱板の外観の例を示す斜視図である。
【００１２】
図１および図２において、デジタルカメラ１は、アルミニウム合金またはチタン合金などの金属材料またはプラスチック材料などで構成された外装であるカメラ本体１０を有する。カメラ本体１０に対して、図１に示す閉位置と図２に示す開位置との間でスライド可能なように、カバー体３１が設けられている。
【００１３】
カメラ本体１０は、撮影レンズ１１の設けられている面を正面として、正面板部、上面板部、底面板部、および背面板部が連続することによって構成される筒状の部分のうち、カバー体３１によっては覆われない部分である外箱部１０ａ、カバー体３１のスライドによって覆われたり露出したりする中箱部１０ｂ、フラッシュカバー２１に対応して段部が設けられて狭められた内箱部１０ｃ、左側の側面である左側面部１０ｄ、および、右側の側面である右側面部１０ｅからなっている。
【００１４】
カバー体３１は、カメラ本体１０と同様な金属材料またはプラスチック材料などから、箱状に形成されている。本実施形態では一方が開放された有底筒状に形成されている。カバー体３１は、正面板部、上面板部、底面板部、および背面板部が連続することによって構成される筒状部分３１ａ、および右側の側面である右側面部３１ｂからなっている。
【００１５】
カバー体３１が閉位置にあるときは、デジタルカメラ１の全体がコンパクトになって携帯に適した形状寸法になるとともに、カバー体３１によってレンズ１１が保護され、レンズ１１が傷つけられたり汚れたりすることが防止される。カバー体３１を矢印Ｍ１方向にスライドさせて開位置とすることにより、正面ほぼ中央に撮影レンズ１１が現れて撮影が可能になるとともに、デジタルカメラ１の形状寸法が横方向に大きくなって全体を両手でしっかり持って保持し易くなる。なお、カバー体３１は、カバー、レンズバリアなどと呼称されることもある。
【００１６】
カメラ本体１０の外箱部１０ａの表面には、レリーズボタン１３、グリップ１５などが設けられている。カバー体３１には、そのカバー体３１の一部を形成するような形状でフラッシュカバー２１が設けられている。フラッシュ撮影を行うときには、図２に示すようにフラッシュカバー２１がポップアップし、発光パネル（フラッシュユニット）２２が姿を現す。
【００１７】
図３および図４に示すように、カメラ本体１０の内部には、ＣＣＤなどの撮像素子１０４、基板１１１，１１２、電子回路素子ＤＶ、放熱板５１，５３、ヒートパイプ５２、図示しない表示素子、メモリ、記録メディア、インタフェース、電池、その他の電子部品、光学部品、機構部品などが設けられている。
【００１８】
撮像素子１０４は、撮影レンズ１１によって結像された被写体の画像を捉えて電気信号に変換する。撮像素子１０４は、金属製の放熱板５１を挟んで基板１１１にはんだ付けによって固定されている。
【００１９】
カメラ本体１０の内箱部１０ｃの内部に、基板１１２にはんだ付けされた電子回路素子ＤＶが設けられている。電子回路素子ＤＶは、例えば、機械的駆動のためのモータまたはアクチュエータのドライバ素子である。カメラ本体１０の右側面部１０ｅの位置に放熱板５３が設けられている。
【００２０】
放熱板５３は、アルミニウム合金、銅合金、または鉄などの金属からなる板状のものである。放熱板５３は、図５に示すように、多数のフィン５３ａを有したヒートシンク構造とすることにより、より効果的な放熱を行うことができる。さらに放熱効果を上げるために、放熱板５３の表面を黒くするための表面処理を行ってもよい。
【００２１】
放熱板５３は、カメラ本体１０における右側面部１０ｅを構成している。放熱板５３が図５のようにフィン５３ａを有する場合には、そのフィン５３ａがカメラ本体１０の外方、つまりカメラ本体１０の右側面部１０ｅとカバー体３１の右側面部３１ｂとの間に形成される空間ＫＮに露出するようにして、内箱部１０ｃの端縁に取り付けられる。放熱板５３と電子回路素子ＤＶとの間は、熱伝導性に優れた図示しない公知のシートを介して接触しており、電子回路素子ＤＶで発生する熱が放熱板５３に十分に伝導される。そのようなシートとして、熱伝導性のよいテープまたはゴムなどを用いることも可能である。また、放熱板５１と放熱板５３とは、公知のヒートパイプ５２によって熱的に結合され、放熱板５１の熱がヒートパイプ５２を介して放熱板５３に十分に伝導される。
【００２２】
カバー体３１の筒状部分３１ａには、その底面板部および上面板部に複数の穴４１，４１…，４２，４２…が設けられている。図４によく示されるように、それぞれの穴４１，４２は、カバー体３１を開位置にしたときに、空間ＫＮと外気との間で空気が流通するためのものであり、これによって空間ＫＮ内の熱せられた空気が外部に放出され、外部の冷たい空気が空間ＫＮ内に流入する。穴４２は、発光パネル２２の下方に設けられており、発光パネル２２がポップアップしたときには穴４２の上方の空隙が拡がって空気が流通し易くなる。
【００２３】
なお、筒状部分３１ａの穴４１，４２を設けた箇所に、適当な繊維または不織布、例えばゴアテックス（商標）などのように通気性に優れかつ水滴を通さない材質のフィルタを設けてもよい。
【００２４】
次に、上のように構成されたデジタルカメラ１の放熱構造の作用について説明する。
【００２５】
デジタルカメラ１を使用するには、カバー体３１をスライドさせて図２示す開位置とする。これによってデジタルカメラ１の電源がオンとなる。この状態で、レリーズボタン１３を押すことにより撮影が可能である。撮像素子１０４で捉えた画像は電気信号に変換され、ＣＰＵまたはＡＳＩＣによって処理され、表示素子によって表示される。レリーズボタン１３を押すと、画像がメモリまたは記録メディアに記録される。必要に応じて、メモリまたは記録メディアに記録された画像は、図示しないインタフェースを介して外部のコンピュータなどに転送される。
【００２６】
デジタルカメラ１の使用中において、撮像素子１０４から発生する熱は、放熱板５１からヒートパイプ５２を介して放熱板５３に伝えられる。また、電子回路素子ＤＶから発生する熱は、伝熱性シートなどを経て直接的に放熱板５３に伝えられる。放熱板５３は、空間ＫＮに面しており、フィン５３ａによって空間ＫＮに対して効果的に放熱を行う。デジタルカメラ１の使用状態ではカバー体３１が開位置であり、したがって空間ＫＮが最大の大きさになっている。空間ＫＮ内において、空気が対流によって高熱の部分が冷却され、空間ＫＮ内の熱はカバー体３１の筒状部分３１ａおよび右側面部３１ｂを介して外部に放出される。また、空間ＫＮ内の空気が、穴４１を通って外部に排出され、これによっても放熱が行われる。また、フラッシュ撮影時には、穴４２の上部の空隙が拡がるので、空間ＫＮ内の空気はさらに効果的に排出される。このように、デジタルカメラ１の内部で発生した熱は効果的に放熱され、デジタルカメラ１の温度上昇が抑えられる。
【００２７】
空間ＫＮの内部はカバー体３１などで覆われているため、ユーザが手などを直接に触れる恐れがない。また、空間ＫＮの内部は外部からは見えない。したがって、放熱板５３または放熱板５３を取り付けるための構造、形状、色などについて、外部から見たファッション性を考慮することなく、機能面のみを考慮して設計を行うことができるので、放熱効果が最も高くなるような設計を行うことができる。例えば、図５に示すようなフィン５３ａを有する放熱板５３とした場合であっても、フィン５３ａが外部から見えないので、体裁に関係なく最も効率のよい放熱構造を採用することができる。
【００２８】
したがって、本実施形態のデジタルカメラ１によると、放熱性を一層向上させることができるので、電子回路素子の温度上昇によるノイズの発生を低くすることができ、過熱による回路や素子の損傷の防止を図り易い。また、デジタルカメラ１の全体的な温度を低くし、局部的な高温の発生を抑えることができるので、ユーザに対する温度による不快感を軽減しまたはなくすことができる。
【００２９】
上の実施形態において、ＣＰＵやＡＳＩＣ、ＣＣＤ、モータやアクチュエータなどのドライバ素子（トランジスタなどのスイッチング素子）、モータやアクチュエータ、電池、発光パネルを充電するためのスイッチング素子などが、発熱量が多い。したがって、これらの電子回路素子のうちから必要なものを選択して、それを放熱板５３と直接的に接触させ、またはヒートパイプ５２などを介して放熱板５３に熱的に結合するようにすればよい。特に、ＣＰＵやＡＳＩＣは、電子回路素子ＤＶとして配置し、放熱板５３に直接的に接触させる構造とすることができる。電子回路素子ＤＶと放熱板５３との間の密着性を向上させるために、適当な表面処理を行ってもよい。
【００３０】
また、放熱板５３に、カメラ本体１０の内部と空間ＫＮとの間で空気の流通を行わせるための穴を設けてもよい。カメラ本体１０の露出しない部分にも同様の穴を設けてもよい。
〔第２の実施形態〕
次に、本発明の第２の実施形態について説明する。
【００３１】
図６は本発明に係る第２の実施形態のデジタルカメラ１Ｂの外観を示す正面図、図７はデジタルカメラ１Ｂのカバー体が開状態のときの外観を示す正面図、図８はデジタルカメラ１Ｂのカバー体が開状態のときの外観を示す斜視図、図９はデジタルカメラ１Ｂのカバー体が開状態のときの内部構造の一部を示す正面断面図である。
【００３２】
なお、デジタルカメラ１Ｂのカメラとしての基本的な機能および構造は、上に述べた第１の実施形態のデジタルカメラ１と同様であるから、同じ機能を有する部分には同じ符合または同じ符合に「Ｂ」を追加し、説明を簡略化しまたは省略する。以下同様である。
【００３３】
図６ないし図９において、デジタルカメラ１Ｂは、外装であるカメラ本体１０Ｂを有する。カメラ本体１０Ｂに対して、図６に示す閉位置と図７に示す開位置との間でスライド可能なように、カバー体３１Ｂが設けられている。
【００３４】
カバー体３１Ｂの位置に応じて撮影条件が変更される。つまり、カバー体３１Ｂが閉位置のときには、静止画の撮影を許可するモード（静止画撮影モード）が設定され、カバー体３１Ｂが開位置のときには、動画の撮影を許可するモード（動画撮影モード）が設定される。また、カバー体３１Ｂが開位置になると、カメラ本体１０Ｂの中箱部１０Ｂｂの内部に空間ＫＮが形成される。中箱部１０Ｂｂの底面板部には、空間ＫＮと外気との間で空気を流通させて放熱を促進するための穴４３，４３…が設けられている。
【００３５】
カメラ本体１０Ｂの外箱部１０Ｂａの内部には、電池１２０が収納されている。外箱部１０Ｂａの空間ＫＮに面する側の側面には、放熱板５３Ｂが設けられている。放熱板５３Ｂによって、電池１２０から発生する熱が空間ＫＮに向かって放熱される。
【００３６】
カバー体３１Ｂの内部には、種々の電子回路素子および回路からなる電子回路ブロック１１５が設けられている。カバー体３１Ｂの空間ＫＮに面する側の側面には、放熱板５４Ｂが設けられている。放熱板５４Ｂによって、電子回路ブロック１１５などから発生する熱が空間ＫＮに向かって放熱される。
【００３７】
図示しない電源スイッチをオンした状態で、カバー体３１Ｂが開位置になって動画撮影モードになると、空間ＫＮが大きくなり、動画撮影時の放熱が効果的に行われる。静止画撮影時よりも動画撮影時の方が発熱量が多いので、動画撮影時に放熱が効果的に行われることによって、デジタルカメラ１Ｂの全体の構造および形状の設計が容易であり、全体をコンパクト化することが可能である。また、動画撮影時にはカバー体３１Ｂが開位置となってデジタルカメラ１のサイズが大きくなるので、ユーザによるグリップが容易であり、長時間の動画撮影を安定して行うことができる。
【００３８】
なお、放熱板５３Ｂまたは放熱板５３Ｂの設けられた側面、および放熱板５４Ｂまたは放熱板５４Ｂの設けられた側面に、空気の流通用の穴を設けてもよい。
〔第３の実施形態〕
次に、本発明の第３の実施形態について説明する。
【００３９】
図１０は本発明に係る第３の実施形態のデジタルカメラ１Ｃの外観を示す正面図、図１１はデジタルカメラ１Ｃのカバー体が開状態のときの外観を示す正面図、図１２はデジタルカメラ１Ｃの内部構造の一部を示す正面断面図、図１３はデジタルカメラ１Ｃのカバー体が開状態のときの内部構造の一部を示す正面断面図、図１４はデジタルカメラ１Ｃのカバー体が開状態のときの内部構造の一部を示す上面断面図である。
【００４０】
図１０ないし図１４において、デジタルカメラ１Ｃは、外装であるカメラ本体１０Ｃを有する。カメラ本体１０Ｃに対して、図１０に示す閉位置と図１１に示す開位置との間でスライド可能なように、カバー体３１Ｃが設けられている。
【００４１】
カバー体３１Ｃが開位置になると、デジタルカメラ１Ｃの電源がオンとなり、レンズ１１の保護蓋が開き、撮影が可能になる。このとき、発光パネル２２が露出してフラッシュ撮影も可能な状態となる。また、カバー体３１Ｃが開位置になると、カメラ本体１０Ｃの中箱部１０Ｃｂの内部に空間ＫＮが形成される。カバー体３１Ｃの上部および下部に、空間ＫＮと外気との間で空気を流通させて放熱を促進するための図示しない穴が設けられている。
【００４２】
カメラ本体１０Ｃの内部には、発光パネル２２の充電回路１１６、画像処理回路１１７、その他の回路、撮像素子１０４Ｃ、屈曲光学系ＫＧなどが設けられている。カメラ本体１０Ｃの中箱部１０Ｃｂの空間ＫＮに面する側の側面には、放熱板５３Ｃが設けられている。放熱板５３Ｃによって、充電回路１１６、画像処理回路１１７、および撮像素子１０４Ｃなどから発生する熱が空間ＫＮに向かって放熱される。空間ＫＮ内の熱は、カバー体３１Ｃを介して外部に放熱される。また、カバー体３１Ｃに設けられた穴を空気が流通することによっても放熱が行われる。
【００４３】
このように、第３の実施形態のデジタルカメラ１Ｃにおいても、電子回路素子および部品の放熱が効果的に行われる。
【００４４】
上の実施形態において、デジタルカメラ１，１Ｂ，１Ｃの構造、構成、形状、寸法、機能、個数、処理内容などは、上に述べた以外の種々のものとすることができる。カメラには、上に述べたデジタルカメラの他、ビデオカメラ、フィルム式のカメラなどが含まれる。
【産業上の利用可能性】
【００４５】
カメラ、特にデジタルカメラにおける放熱構造の改良のために利用することができる。
【図面の簡単な説明】
【００４６】
【図１】本発明に係る第１の実施形態のデジタルカメラの外観を示す正面図である。
【図２】デジタルカメラのカバー体が開状態のときの外観を示す正面図である。
【図３】デジタルカメラの内部構造の一部を示す正面断面図である。
【図４】デジタルカメラの内部構造の一部を示す正面断面図である。
【図５】放熱板の外観の例を示す斜視図である。
【図６】第２の実施形態のデジタルカメラの外観を示す正面図である。
【図７】デジタルカメラのカバー体が開状態のときの外観を示す正面図である。
【図８】デジタルカメラのカバー体が開状態のときの外観を示す斜視図である。
【図９】デジタルカメラの内部構造の一部を示す正面断面図である。
【図１０】第３の実施形態のデジタルカメラの外観を示す正面図である。
【図１１】デジタルカメラのカバー体が開状態のときの外観を示す正面図である。
【図１２】デジタルカメラの内部構造の一部を示す正面断面図である。
【図１３】デジタルカメラの内部構造の一部を示す正面断面図である。
【図１４】デジタルカメラの内部構造の一部を示す上面断面図である。
【符号の説明】
【００４７】
１，１Ｂ，１Ｃ  デジタルカメラ（カメラ）
１０，１０Ｂ，１０Ｃ  カメラ本体
１０Ｂａ  外箱部（電池収納部）
３１，３１Ｂ，３１Ｃ  カバー体
４１，４２，４３  穴
５２  ヒートパイプ
５３，５３Ｂ，５３Ｃ  放熱板（放熱部材）
５４  放熱板（放熱部材）
１０４  撮像素子（部品）
１１５  電子回路ブロック（部品）
１１６  充電回路（部品）
１１７  画像処理回路（部品）
ＤＶ  電子回路素子（部品）
１２０  電池
ＫＮ  空間
【図１】
2005181630.tif 000003
【図２】
2005181630.tif 000004
【図３】
2005181630.tif 000005
【図４】
2005181630.tif 000006
【図５】
2005181630.tif 000007
【図６】
2005181630.tif 000008
【図７】
2005181630.tif 000009
【図８】
2005181630.tif 000010
【図９】
2005181630.tif 000011
【図１０】
2005181630.tif 000012
【図１１】
2005181630.tif 000013
【図１２】
2005181630.tif 000014
【図１３】
2005181630.tif 000015
【図１４】
2005181630.tif 000016